(57)【要約】【課題】  保管状態での印刷版ヘの不具合発生を防止でき、印刷版の交換時の作業効率を向上可能な印刷版保管台を提供する。【解決手段】  この印刷版保管台１０は、印刷機の版胴に装着されるシート状印刷版Ｓを湾曲状にして保管する。【選択図】  図２
2007001627.tif 000002
【特許請求の範囲】
【請求項１】
印刷機の版胴に装着されるシート状印刷版を湾曲状にして保管するように構成されたことを特徴とする印刷版保管台。
【請求項２】
前記保管台の上面が開放している箱形状である請求項１に記載の印刷版保管台。
【請求項３】
金属材料または導電性樹脂材料から構成された請求項１または２に記載の印刷版保管台。
【請求項４】
前記保管台の内面の前記印刷版と接触または近接する部分に帯電防止加工を施した請求項１または２に記載の印刷版保管台。
【請求項５】
前記保管台の内面の前記印刷版と接触する部分に傷防止材料を設けた請求項１乃至４のいずれか１項に記載の印刷版保管台。
【請求項６】
前記印刷機への固定のためにマグネット吸着部材を有する請求項１乃至５のいずれか１項に記載の印刷版保管台。
【請求項７】
前記印刷版のＹ、Ｍ、Ｃ、Ｋの４色のいずれかに対応した色識別手段を有する請求項１乃至６のいずれか１項に記載の印刷版保管台。
【発明の詳細な説明】
【技術分野】
【０００１】
本発明は、シート状印刷版を印刷機の版胴近傍に保管するための保管台に関する。
【背景技術】
【０００２】
従来、アルミニウムを支持体とした印刷版（アルミニウム版）においてはアルミニウム自体の剛性を利用して、印刷機の版胴にある安全カバーの収納スぺースに引っ掛けたり、または、版胴近傍の印刷機本体に立て掛けて保管されるのが通常であった。また、アルミニウム版は、多数枚で保管され運搬されている（下記特許文献１乃至３参照）。一方、紙またはプラスチック支持体のシート状印刷版は、剛性が低くアルミニウム版と同様の保管形態では座屈してしまうため、版胴から離れた別の場所に平置きするか、または、収納箱に入れて保管されている。
【０００３】
ところが、紙またはプラスチック支持体のシート状印刷版を不用意にアルミニウム版と同じ取扱いをすると、印刷版が座屈してしまい、床面等に落下して印刷版に傷、折れ、汚れが生じ、そのまま印刷機に装着して印刷を行うと、最終印刷物の画質不良に繋がるおそれがあった。また、印刷版を平置きするためには余分な作業スペースが必要となり、スペース制限がある場合には実現が難しい。更に、印刷版が版胴から離れた場所に保管されているので、版胴上の印刷版を交換する際に、印刷済み版を取り外してから、新規の印刷版を取りに行く、または、印刷版の交換作業者とは別に版胴近傍で版を手に持って待機する人が必要となるため作業効率が悪い。
【特許文献１】特開平２−２９３７４３号公報
【特許文献２】特開平２−２９３７４４号公報
【特許文献３】特開平６−２０６６１２号公報
【発明の開示】
【発明が解決しようとする課題】
【０００４】
本発明は、上述のような従来技術の問題に鑑み、保管状態での印刷版ヘの不具合発生を防止でき、印刷版の交換時の作業効率を向上可能な印刷版保管台を提供することを目的とする。
【課題を解決するための手段】
【０００５】
上記目的を達成するために、本発明による印刷版保管台は、印刷機の版胴に装着されるシート状印刷版を湾曲状にして保管するように構成されたことを特徴とする。
【０００６】
この印刷版保管台によれば、印刷機の版胴近傍に保管台を設置できるので、版胴への装着前のシート状印刷版を版胴近傍に保管できるので、印刷版の交換時の作業効率を向上できるとともに、シート状印刷版を湾曲して保管するので、座屈せずに保管でき、保管状態で印刷版に傷等の不具合が発生することを防止できる。
【０００７】
上記印刷版保管台において前記保管台の上面が開放している箱形状であることが好ましい。保管台を上面が開放している箱形状とすることで、印刷版を筒状に丸めて（湾曲させて）保管台に収納することが可能となり、座屈することがなく、更に収納スペースを節約できる。
【０００８】
上記印刷版保管台が金属材料または導電性樹脂材料から構成されたり、前記保管台の内面の前記印刷版と接触または近接する部分に帯電防止加工を施すことにより、静電気によるホコリ等の吸着が防止できるため、印刷版の表面と保管台の内面とが擦れても傷発生を防止できるとともに、保管台内面への印刷版の貼り付きを防止できる。
【０００９】
また、前記保管台の内面の前記印刷版と接触する部分にテレンプ、滑りシート、不織布等からなる傷防止材料を設けることが好ましい。これにより、版面を保護でき、保管台の内面と印刷版の表面との接触による傷発生を防止できるとともに、保管台内面ヘの印刷版の貼り付きを防止できる。
【００１０】
また、前記印刷機への固定のためにマグネット吸着部材を有することが好ましい。保管台は箱状になっているがスペースを節約する都合上、投影面積が小さくなるため、自立させている状態では安定性がなく、各種作業中に倒してしまうおそれがあるが、マグネットにより印刷機の外装や設置台に固定することで、これらの不具合発生のおそれを解消できる。
【００１１】
また、前記印刷版のＹ、Ｍ、Ｃ、Ｋの４色のいずれかに対応した色識別手段を有することで、保管台に保管された各色の印刷版の識別が容易となる。
【００１２】
なお、上記シート状印刷版は、ヤング率が４５００〜６５００Ｎ／ｍｍ2であり厚み１００〜２５０μｍのプラスチック支持体上に、少なくとも親水性層及び感熱性画像形成層を有する印刷版材料から構成されることが好ましいが、この場合、シート状印刷版は座屈し易いが、上述の保管台で保管することで、座屈のおそれがなく、従来のアルミニウム版と同様の運用が可能となる。
【００１３】
また、上記プラスチック支持体の材質は、ポリエチレンテレフタレートであることが好ましく、また、プラスチック支持体の厚みは、１７０〜１８０μｍであることが好ましい。また、プラスチック支持体のヤング率は、５０００〜６０００Ｎ／ｍｍ2であることが好ましい。
【発明の効果】
【００１４】
本発明の印刷版保管台によれば、保管状態での印刷版ヘの不具合発生を防止でき、印刷版の交換時の作業効率を向上できる。
【発明を実施するための最良の形態】
【００１５】
以下、本発明を実施するための最良の形態について図面を用いて説明する。図１は本実施の形態による印刷版保管台を示す斜視図である。図２は図１の印刷版保管台にシート状印刷版を保管した状態を示す斜視図である。図３は図１の印刷版保管台の上面図（ａ）及び正面図（ｂ）である。図４は、図１の印刷版保管台を印刷機の版胴近傍に配置した状態を示す図である。
【００１６】
図１〜図３に示すように、印刷版保管台１０は、背面側に配置されて平板からなる背板１１と、前面側に配置されて前面に向けて膨らむように湾曲した湾曲板１２と、底面側に配置されて平板からなる底板１３と、を備える。印刷版保管台１０は、各板１１〜１３が鉄鋼材料の板材からなり、溶接等で接合されて箱形状に組み立てられ、全体が塗装仕上げされている。
【００１７】
印刷版保管台１０は、上面が開放しており、前面側が弧状となった略半円状の開口１０ａが形成されている。略半円状の開口１０ａに対応して底板１３も略半円状に構成されているが、開口１０ａの方が底板１３よりも大きくなっており、湾曲板１２は底板１３から開口１０ａに向けて縦向きに広がるように傾斜している。
【００１８】
図２のように、印刷版保管台１０は、所定サイズのシート状印刷版Ｓが開口１０ａから湾曲して差し込まれ、略半円状の開口１０ａにほぼ沿って湾曲して収まるように横方向のサイズ（背板１１の幅）が決められている。また、印刷版保管台１０の高さは、所定サイズのシート状印刷版Ｓの上方部分が図２のように開口１０ａから露出するように決められている。
【００１９】
湾曲板１２には、中心部上方に色識別部１４が設けられており、色識別部１４がＹＭＣＫの各色に着色される。また、湾曲板１２には色識別部１４から離れた位置で縦長に切り抜かれるようにして２つの縦長孔１２ａが形成されている。縦長孔１２ａにより、印刷版保管台１０の内部を視認できるとともに、印刷版保管台１０全体の軽量化を図っている。
【００２０】
また、湾曲板１２の内面１２ｂ側の印刷版Ｓと接触する部分には、図３（ｂ）のように、中央、右側端側、左側端側に、傷防止部１５，１６，１７が縦方向に分離して設けられている。傷防止部１５，１６，１７は、テレンプ、滑りシート、不織布等のシート状または布状の傷防止材料から構成することが好ましい。これにより、印刷版Ｓの版面を保護でき、印刷版保管台１０の湾曲板１２の内面１２ｂと印刷版Ｓの表面との接触による傷発生を防止できるとともに、内面１２ｂヘの印刷版Ｓの貼り付きを防止できる。
【００２１】
また、印刷版保管台１０の背板１１には、板状のマグネット吸着部材１１ａが設けられており、印刷版保管台１０を印刷機に固定することができる。即ち、図４のように、印刷版保管台１０を印刷機の版胴近傍の鉄鋼材料からなる外装パネル２１に配置するとき、背板１１のマグネット吸着部材１１ａで外装パネル２１に吸着させて固定することができる。
【００２２】
次に、上述の印刷版保管台１０に保管して好ましいシート状印刷版及び印刷機の版胴について図５，図６を参照して説明する。図５は図１の印刷版保管台に保管されるシート状印刷版を概略的に示す斜視図（ａ）及びシート状印刷版の層構成を模式的に示す断面図（ｂ）である。図６は図５の印刷版を装着可能な印刷機の版胴及びブランケット胴を概略的に示す側面図である。
【００２３】
図５（ａ）のように、シート状印刷版Ｓは、矩形状の比較的大きなサイズ（例えば、幅６７０ｍｍ×高さ５６０ｍｍ）を有し、上端側に形成されて印刷機の版胴にクランプし装着するための折り曲げ部Ｓ１と、下端側に形成されて印刷機の版胴に対し位置決めするための切り欠き部Ｓ２と、を備える。
【００２４】
図５（ｂ）のように、シート状印刷版Ｓは、プラスチック支持体５０上に少なくとも親水性層５１及び感熱性画像形成層５２を有する。印刷版Ｓのプラスチック支持体５０として、ポリエチレンテレフタレート、ポリエチレンナフタレート等のポリエステル、ポリイミド、ポリアミド、ポリカーボネート、ポリスルホン、ポリフェニレンオキサイド、セルロースエステル類を挙げることができる。特に、ポリエチレンテレフタレート、ポリエチレンナフタレート等のポリエステルフィルムが好ましい。
【００２５】
プラスチック支持体５０は、特に、ポリエチレンテレフタレートが搬送性、取り扱い易さ等から好ましく、印刷版作製装置内では、プラスチック支持体の厚みが薄過ぎたり厚過ぎると、ロールにし難いし、搬送性に問題があり、また薄過ぎると次の工程の印刷機に持ち運ぶ時に強度がなく撓む等の問題があり、搬送性、取り扱い易さ等からプラスチック支持体５０の厚さは１００〜２５０μｍが好ましく、特に好ましくは１７０〜１８０μｍである。また、プラスチック支持体５０は、ヤング率が４５００乃至６５００Ｎ／ｍｍ2の範囲内であることが好ましく、５０００乃至６０００Ｎ／ｍｍ2の範囲内であることが更に好ましい。
【００２６】
印刷版Ｓの親水性層５１とは、印刷時に印刷インキを着肉しない機能を有する層であり、この親水性層５１を形成する素材としては、有機親水性ポリマーを架橋あるいは疑似架橋することにより得られる有機親水性マトリクス構造体や、ポリアルコキシシラン、チタネート、ジルコネート又はアルミネートの加水分解、縮合反応からなるゾル−ゲル変換により得られる無機親水性マトリクス構造体、金属酸化物等が好ましく用いられる。親水性層５１は、特に金属酸化物微粒子を含むことが好ましく、例えば、コロイダルシリカ、アルミナソル、チタニアゾル、その他の金属酸化物のゾルが挙げられる。
【００２７】
また、印刷版Ｓの感熱性画像形成層５２は、加熱により画像を形成しうる層であり、熱溶融性微粒子及び／又は熱融着性微粒子を含有する。熱溶融性微粒子としては、熱可塑性素材の中でも特に溶融した際の粘度が低く、一般的にワックスとして分類される素材で形成された微粒子である。また、熱融着性微粒子としては、熱可塑性疎水性高分子重合体微粒子が挙げられ、該熱可塑性疎水性高分子重合体粒子の軟化温度に特定の上限はないが、温度は高分子重合体微粒子の分解温度より低いことが好ましい。
【００２８】
上記印刷版Ｓは、例えば印刷版の作製装置のドラムに巻き付けられ、そのドラムを回転させて光源により画像データを走査露光して表面Ｓ０に画像記録が行われた後に、折り曲げ部Ｓ１が折り曲げられてから、印刷機の版胴に装着される。
【００２９】
印刷機は、図６に示すような版胴１、ブランケット胴２、圧胴及び渡し胴（図示省略）で構成されたユニットをＹ、Ｍ、Ｃ、Ｋの４色分の４台備え、版胴１はくわえ側クランプ３０と尻側クランプ３１を有する。印刷版Ｓを版胴１のくわえ側クランプ３０に切り欠き部Ｓ２で位置決めして固定してから、版胴１にほぼ１周分巻き、折り曲げ部Ｓ１で尻側クランプ３１に固定することで装着する。
【００３０】
図１〜図４の印刷版保管台１０によれば、印刷版保管台１０を印刷機の版胴近傍に配置することで、シート状印刷版Ｓを印刷機の版胴に装着する前段階において、シート状印刷版Ｓを版胴の近傍に保管でき、アルミニウム版と同様の運用が可能となり、保管状態での印刷版ヘの傷等の不具合発生を防止でき、また、印刷版交換時の作業効率が向上する。
【００３１】
従来は、座屈し易いプラスチック支持体のシート状印刷版をアルミニウム版と同じ取扱いをすると、印刷版が床面等に落下して印刷版に傷、折れ、汚れが生じ、最終印刷物の画質不良に繋がるおそれがあり、また、印刷版を平置きする余分な作業スペースが必要であり、更に、印刷版は版胴から離れた場所に保管されているので、版胴上の印刷版を交換する際に、その都度新規の印刷版を取りに行ったり、別の人が運搬する必要があり、作業効率が悪かったのに対し、印刷版保管台１０を版胴近くに設置し、印刷版保管台１０に印刷版Ｓを予め運搬しておき、よい保管状態で保管することができるので、印刷版Ｓヘの傷、折れ、汚れ発生を防止でき、スペースもさほど必要なく、また印刷版交換時の作業効率がよくなる。
【００３２】
上述のようなプラスチック支持体５０のシート状印刷版Ｓは、そのまま例えば、図４の外装パネル２１などに立て掛けると、座屈してしまい、立て掛けることができないが、印刷版保管台１０の上面の開口１０ａから印刷版Ｓを、例えば、図５（ａ）の折り曲げ部Ｓ１と切り欠き部Ｓ２が縦方向になり表面Ｓ０が外面側になるようにして筒状に丸めて（湾曲させて）収めることができる。収められた印刷版Ｓは、弾性復元して湾曲板１２の内面１２ｂにほぼ沿って湾曲した状態で座屈することなく印刷版保管台１０内で収容できる。このようにして、比較的大きなサイズの印刷版Ｓを印刷版保管台１０内に保管するので、印刷版の収納スペースを節約できる。
【００３３】
また、印刷版保管台１０を金属材料や導電性樹脂で構成することで導電性を持たせたり、または、印刷版保管台１０の内面１２ｂの印刷版と接触・近接する部分に帯電防止加工を施すことで、静電気によるホコリ等の吸着を防止できるため、印刷版Ｓの表面Ｓ０と印刷版保管台１０の内面１２ｂが擦れても傷の発生を防止できるとともに、印刷版保管台１０の内面１２ｂへの印刷版Ｓの貼り付きを防止できる。
【００３４】
また、印刷版保管台１０は箱状に構成されているが、設置スペースを節約する都合上、投影面積が小さくなるため、自立させている状態では安定性がなく、各種作業中に倒してしまうおそれがあるが、マグネット吸着部材１１ａにより印刷機の外装パネル２１と固定することで、これらの不具合を解消できる。なお、マグネット吸着部材１１ａは、印刷版保管台１０の設置台が鉄鋼等の板等からなる場合には、印刷版保管台１０の底板１３に設けてもよい。
【００３５】
また、印刷機には上述のようにＹＭＣＫの４色分の版胴が備えられているが、ＹＭＣＫの各色にそれぞれ着色された色識別部１４を有する４台の印刷版保管台１０をそれぞれ各色の版胴の外装パネル２１に設置することで、色の識別ができ、対応する印刷版の色の確認が容易になり、便利である。
【００３６】
以上のように本発明を実施するための最良の形態について説明したが、本発明はこれらに限定されるものではなく、本発明の技術的思想の範囲内で各種の変形が可能である。例えば、シート状印刷版Ｓは、座屈し易い紙支持体のシート状印刷版であってもよく、プラスチック支持体の場合と同様に印刷版保管台１０内で座屈することなくよい保管状態で保管できる。また、印刷版保管台１０はアルミニウム版を保管することもできる。
【００３７】
また、図１〜図４では印刷版保管台１０を平面的に略半円状の構造としたが、本発明はこれに限定されずに、シート状印刷版を湾曲させて自立させる目的を達成できれるのであれば他の形状であってもよいことは勿論であり、例えば、円筒や四角筒等の各種の形状とすることができる。
【００３８】
また、図１〜図４では、色識別手段として色識別部１４を印刷版保管台の中心部上方に設けたが、印刷版保管台の側部側に設けてもよく、また、印刷版保管台の外表面全体を塗装するようにしてもよい。
【図面の簡単な説明】
【００３９】
【図１】本実施の形態による印刷版保管台を示す斜視図である。
【図２】図１の印刷版保管台にシート状印刷版を保管した状態を示す斜視図である。
【図３】図１の印刷版保管台の上面図（ａ）及び正面図（ｂ）である。
【図４】図１の印刷版保管台を印刷機の版胴近傍に配置した状態を示す図である。
【図５】図１の印刷版保管台に保管されるシート状印刷版を概略的に示す斜視図（ａ）及びシート状印刷版の層構成を模式的に示す断面図（ｂ）である。
【図６】図５の印刷版を装着可能な印刷機の版胴及びブランケット胴を概略的に示す側面図である。
【符号の説明】
【００４０】
１０ 印刷版保管台
１０ａ 開口
１１ 背板
１１ａ マグネット吸着部材
１２ 湾曲板
１２ｂ 内面
１３ 底板
１４ 色識別部（色識別手段）
１５ 傷防止部
２１ 外装パネル
５０ プラスチック支持体
５１ 親水性層
５２ 感熱性画像形成層
Ｓ シート状印刷版、印刷版
Ｓ０ 表面
【図１】
2007001627.tif 000003
【図２】
2007001627.tif 000004
【図３】
2007001627.tif 000005
【図４】
2007001627.tif 000006
【図５】
2007001627.tif 000007
【図６】
2007001627.tif 000008